(57)【特許請求の範囲】
【請求項１】
底面から下方に突出した脚部材を有する衣類乾燥機を載せる架台であって、
前記衣類乾燥機を載せる積載部に、
前記底面が載る積載面と、
前記積載面から凹み、前記脚部材が嵌まり込む凹部と、
を有し、
前記凹部の上下方向の大きさは、前記脚部材の高さと同一である架台。
【請求項２】
前記積載部は、直方体状または四角筒状であり、
前記凹部は、前記積載部を貫通する孔である
請求項１に記載の架台。
【請求項３】
前記積載部は、板金にて構成されており、
前記凹部は、前記積載面から筒状に折り曲げられた部位である
請求項１に記載の架台。
【請求項４】
前記積載部は、前記凹部に接続するように設けられて、前記脚部材を当該凹部に案内する溝を有する
請求項１から３のいずれか１項に記載の架台。
【請求項５】
前記積載部は、前記衣類乾燥機に設けられた複数の脚部材それぞれが嵌め込まれる複数の凹部を有し、
前記積載面に直交する方向に見た場合に、前記複数の凹部の内の一の凹部の大きさは、他の凹部の大きさよりも小さい
請求項１から４のいずれか１項に記載の架台。
【請求項６】
前記一の凹部は、前記衣類乾燥機に接続された排湿筒の真下にある
請求項５に記載の架台。
【発明の詳細な説明】
【技術分野】
【０００１】
本発明は、架台に関する。
【背景技術】
【０００２】
従来、洗濯機の上方に衣類乾燥機を設置するための架台が提案されている。
例えば、非特許文献１に記載された架台は、洗濯機の上方に、衣類乾燥機を積載するための積載部を有する。積載部は、洗濯機の蓋が開くスペースを確保するために、洗濯機の上面から所定の距離以上離れた位置に設けられている。
【先行技術文献】
【特許文献】
【０００３】
【非特許文献１】東京ガス株式会社、ガス衣類乾燥機（乾太くん）、設置方法［２０２１年２月１０日検索］、インターネット、〈ＵＲＬ：https://home.tokyo-gas.co.jp/living/other/kanta/purchase/index.html〉
【発明の概要】
【発明が解決しようとする課題】
【０００４】
近年、特に新築集合住宅において、昔の住宅よりも、床面から天井までの高さが低く設定されるようになってきた。その結果、衣類乾燥機の上面と天井との間のスペースが小さくなってきており、衣類乾燥機の上面から上方に延びた排湿筒を乾燥機に接続する作業を行うためのスペースが小さくなってきている。それゆえ、洗濯機の蓋が開くスペースを確保しつつ、床面から衣類乾燥機の上面までの高さを低くすることが望まれている。
本発明は、床面から衣類乾燥機の上面までの高さを低くできる架台を提供することを目的とする。
【課題を解決するための手段】
【０００５】
かかる目的のもと完成させた本発明は、底面から下方に突出した脚部材を有する衣類乾燥機を載せる架台であって、前記衣類乾燥機を載せる積載部に、前記底面が載る積載面と、前記積載面から凹み、前記脚部材が嵌まり込む凹部と、を有し、前記凹部の上下方向の大きさは、前記脚部材の高さと同一である架台である。
ここで、前記積載部は、直方体状または四角筒状であり、前記凹部は、前記積載部を貫通する孔であっても良い。
また、前記積載部は、板金にて構成されており、前記凹部は、前記積載面から筒状に折り曲げられた部位であっても良い。
また、前記積載部は、前記凹部に接続するように設けられて、前記脚部材を当該凹部に案内する溝を有しても良い。
また、前記積載部は、前記衣類乾燥機に設けられた複数の脚部材それぞれが嵌め込まれる複数の凹部を有し、前記積載面に直交する方向に見た場合に、前記複数の凹部の内の一の凹部の大きさは、他の凹部の大きさよりも小さくても良い。
また、前記一の凹部は、前記衣類乾燥機に接続された排湿筒の真下にあっても良い。
【発明の効果】
【０００６】
本発明によれば、床面から衣類乾燥機の上面までの高さを低くできる架台を提供することができる。
【図面の簡単な説明】
【０００７】
【図１】第１の実施形態に係る架台の概略構成の一例を示す図である。
【図２】架台に衣類乾燥機を載せた状態の一例を示す図である。
【図３】衣類乾燥機の外観の一例を示す斜視図であり、衣類乾燥機を上方から見た斜視図である。
【図４】衣類乾燥機の外観の一例を示す斜視図であり、衣類乾燥機を下方から見た斜視図である。
【図５】積載部を構成する部材を組み立てる前の状態の一例を示す図である。
【図６】脚部材が貫通孔に嵌め込まれた状態を示す断面図の一例を示す図である。
【図７】脚部材が第２の実施形態に係る貫通孔に嵌め込まれた状態を示す断面図の一例を示す図である。
【図８】脚部材が第３の実施形態に係る収容部に嵌め込まれた状態を示す断面図の一例を示す図である。
【図９】収容部の変形例の一例を示す図である。
【図１０】第４の実施形態に係る右積載部材および左積載部材の概略構成の一例を示す図である。
【発明を実施するための形態】
【０００８】
以下、添付図面を参照して、実施の形態について詳細に説明する。
＜第１の実施形態＞
図１は、第１の実施形態に係る架台１０の概略構成の一例を示す図である。
図２は、架台１０に衣類乾燥機１００を載せた状態の一例を示す図である。
図３および図４は、衣類乾燥機１００の外観の一例を示す斜視図である。図３は、衣類乾燥機１００を上方から見た斜視図であり、図４は、衣類乾燥機１００を下方から見た斜視図である。
【０００９】
第１の実施形態に係る架台１０は、図２に示すように、洗濯機２００の蓋２０１が開くスペースを確保しつつ、洗濯機２００の上方に衣類乾燥機１００を設置するのに用いられる。架台１０は、衣類乾燥機１００を載せる積載部２０と、積載部２０を支持する支持部４０とを備えている。架台１０については後で詳述する。なお、図２に示すように、洗濯機２００は、床面１８０の上に設けられた防水パン１９０の上に載せられている。また、衣類乾燥機１００には排湿筒１５０が接続されており、排湿筒１５０の一部は、天井２１０よりも上方の天井裏２２０まで延びている。
【００１０】
（衣類乾燥機１００）
衣類乾燥機１００は、回転ドラム（不図示）や回転ドラムを回転させるモータ（不図示）等を収容する筐体１１０を有している。筐体１１０には、回転ドラムに衣類を投入するための衣類投入口１０１が設けられている。以下では、衣類投入口１０１が設けられている側を「前側」と称し、衣類投入口１０１の前に立った人が衣類乾燥機１００を見た場合の、左側、右側、上側、下側を、それぞれ、「左側」、「右側」、「上側」、「下側」と称し、回転ドラムの奥側を「後側」と称する場合がある。
【００１１】
筐体１１０は、回転ドラムの前側に設けられた矩形で板状の前板１１１と、右側に設けられた矩形で板状の右板１１２と、左側に設けられた矩形で板状の左板（不図示）と、後側に設けられた矩形で板状の後板（不図示）とを有している。前板１１１に対して、衣類投入口１０１が開閉可能に装着されている。
【００１２】
また、筐体１１０は、回転ドラムの上側に設けられた矩形で板状の天板１１３を有している。天板１１３における上側の面である上面１１３ａが衣類乾燥機１００の上面である。
天板１１３には、回転ドラム内の空気を筐体１１０の外部に導く排気口１２０が設けられている。図３に示した例では、排気口１２０は、天板１１３の左側の後部に設けられている。排気口１２０には、図２に示すように、排湿筒１５０が接続される。
【００１３】
また、筐体１１０は、回転ドラムの下側に設けられた矩形で板状の底板１１４を有している。
また、衣類乾燥機１００は、底板１１４における下側の面である底面１１５から下方に突出した脚部材１３０を複数（本実施形態においては４つ）有している。図４に示した例では、４つの脚部材１３０は、底板１１４の四隅に設けられており、右前に設けられた右前脚部材１３１と、左前に設けられた左前脚部材１３２と、右後に設けられた右後脚部材１３３と、左後に設けられた左後脚部材１３４である。左後脚部材１３４は、右前脚部材１３１、左前脚部材１３２および右後脚部材１３３よりも、排気口１２０に近い位置に設けられている。図３および図４に示した衣類乾燥機１００においては、左後脚部材１３４は、排気口１２０の真下に設けられている。
【００１４】
なお、複数の脚部材１３０は全て同じ形状であっても良いし、異なっていても良い。例えば、４つの脚部材１３０の形状が異なっている場合には、前部に配置された右前脚部材１３１および左前脚部材１３２と、後部に配置された右後脚部材１３３および左後脚部材１３４とは、前後方向の中心を通る左右方向の線に対して、線対称形状であり、かつ、右部に配置された右前脚部材１３１および右後脚部材１３３と、左部に配置された左前脚部材１３２および左後脚部材１３４とは、左右方向の中心を通る前後方向の線に対して、線対称形状である。
【００１５】
（架台１０）
次に、架台１０の積載部２０と支持部４０とについて詳述する。
｛支持部４０｝
図１に示すように、支持部４０は、下部において前後方向に延びた脚部４１と、後部おいて脚部４１と積載部２０との間に設けられ、上下方向に延びた支柱４２とを有している。脚部４１および支柱４２は、架台１０における右端部と左端部のそれぞれに設けられている。脚部４１および支柱４２は、例えば金属製の四角筒状や円筒状の部材であることを例示することができる。また、脚部４１と支柱４２とは、例えば、溶接等で接合されているか、または、ボルト等の締付部材にて締め付けられていることを例示することができる。
【００１６】
また、支持部４０は、前後方向および上下方向に対して交差する方向に延びるとともに、一端が右端部に設けられた脚部４１に連結され、他端が右端部に設けられた支柱４２に連結された右端部補強部材４３を有している。また、支持部４０は、前後方向および上下方向に対して交差する方向に延びるとともに、一端が左端部に設けられた脚部４１に連結され、他端が左端部に設けられた支柱４２に連結された左端部補強部材４４を有している。右端部補強部材４３および左端部補強部材４４は、例えば金属製の四角筒状や円筒状の部材であることを例示することができる。右端部補強部材４３および左端部補強部材４４は、それぞれ、脚部４１または支柱４２に、例えば、ボルト等の締付部材にて締め付けられているか、または、溶接等で接合されていることを例示することができる。なお、図２に示すように、右側の脚部４１は、防水パン１９０の右側に配置され、左側の脚部４１は、防水パン１９０の左側に配置される。
【００１７】
また、支持部４０は、左右方向および上下方向に対して交差する方向に延びるとともに、一端が右端部に設けられた支柱４２に連結され、他端が左端部に設けられた支柱４２に連結された第１後部補強部材４５を有している。また、支持部４０は、左右方向、上下方向および第１後部補強部材４５に対して交差する方向に延びるとともに、一端が左端部に設けられた支柱４２に連結され、他端が右端部に設けられた支柱４２に連結された第２後部補強部材４６を有している。第１後部補強部材４５および第２後部補強部材４６は、例えば金属製の、四角筒状や円筒状の部材またはコの字型の棒状の部材であることを例示することができる。第１後部補強部材４５および第２後部補強部材４６は、それぞれ、支柱４２に、例えば、ボルト等の締付部材にて締め付けられているか、または、溶接等で接合されていることを例示することができる。また、第１後部補強部材４５と第２後部補強部材４６とは、例えば、ボルト等の締付部材にて連結されているか、または、溶接等で接合されていることを例示することができる。
【００１８】
｛積載部２０｝
図５は、積載部２０を構成する部材を組み立てる前の状態の一例を示す図である。
積載部２０は、右部において前後方向に延びた右前後部材２１と、左部において前後方向に延びた左前後部材２２とを有している。右前後部材２１および左前後部材２２は、それぞれ、例えば金属製の四角筒状や円筒状の部材であることを例示することができる。なお、右前後部材２１および左前後部材２２における、前端部および後端部の開口部には、開口部を塞ぐキャップ２０ａ（図１参照）が取り付けられている。
【００１９】
また、積載部２０は、前部において左右方向に延びて、右前後部材２１と左前後部材２２とに連結された前左右部材２３と、後部において左右方向に延びて、右前後部材２１と左前後部材２２とに連結された後左右部材２４とを有している。前左右部材２３および後左右部材２４は、例えば金属製の四角筒状や円筒状の部材であることを例示することができる。
【００２０】
前左右部材２３は、右端部に、筒状の部位から中心線方向に右方に突出した右突出部２３１を有している。また、前左右部材２３は、左端部に、筒状の部位から中心線方向に左方に突出した左突出部２３２を有している。同様に、後左右部材２４は、右端部に、筒状の部位から中心線方向に右方に突出した右突出部２４１を有している。また、後左右部材２４は、左端部に、筒状の部位から中心線方向に左方に突出した左突出部２４２を有している。
【００２１】
前左右部材２３の右突出部２３１および後左右部材２４の右突出部２４１は、右前後部材２１に、ボルト等の締付部材２５にて締め付けられている。なお、右突出部２３１および右突出部２４１は、右前後部材２１に、溶接等で接合されていても良い。
前左右部材２３の左突出部２３２および後左右部材２４の左突出部２４２は、左前後部材２２に、締付部材２５にて締め付けられている。なお、左突出部２３２および左突出部２４２は、左前後部材２２に、溶接等で接合されていても良い。
【００２２】
また、積載部２０は、右前後部材２１よりも左側において、前左右部材２３と後左右部材２４とに架け渡されるとともに、衣類乾燥機１００を積載する積載面３１０を有する右積載部材３１を有している。また、積載部２０は、左前後部材２２よりも右側において、前左右部材２３と後左右部材２４とに架け渡されるとともに、衣類乾燥機１００を積載する積載面３２０を有する左積載部材３２を有している。右積載部材３１は、前左右部材２３における左右方向の中央部よりも右側に配置されており、左積載部材３２は、前左右部材２３における左右方向の中央部よりも左側に配置されている。
【００２３】
右積載部材３１は、上面が積載面３１０となる、例えば金属製の四角筒状の基部３１１を有している。また、右積載部材３１は、基部３１１から、前方に突出した板状の前突出部３１３と、後方に突出した板状の後突出部３１４とを有している。そして、基部３１１の前部には、上下方向に貫通する孔である右前孔３１５が形成され、基部３１１の後部には、上下方向に貫通する孔である右後孔３１６が形成されている。
【００２４】
左積載部材３２は、上面が積載面３２０となる、例えば金属製の四角筒状の基部３２１を有している。また、左積載部材３２は、基部３２１から、前方に突出した板状の前突出部３２３と、後方に突出した板状の後突出部３２４とを有している。そして、基部３２１の前部には、上下方向に貫通する孔である左前孔３２５が形成され、基部３２１の後部には、上下方向に貫通する孔である左後孔３２６が形成されている。
なお、以下の説明において、右前孔３１５、右後孔３１６、左前孔３２５および左後孔３２６を、区別する必要がない場合には、これらをまとめて「貫通孔３５」と称する場合がある。貫通孔３５は、円柱状であることを例示することができる。
【００２５】
また、積載部２０は、前部において、右積載部材３１と左積載部材３２とを接続する前接続部材３３と、後部において、右積載部材３１と左積載部材３２とを接続する後接続部材３４とを有している。前接続部材３３および後接続部材３４は、例えば金属製の四角筒状や円筒状の部材であることを例示することができる。そして、右積載部材３１の前突出部３１３と左積載部材３２の前突出部３２３とが、前接続部材３３の上面に、溶接等で接合されており、右積載部材３１の後突出部３１４と左積載部材３２の後突出部３２４とが、後接続部材３４の上面に、溶接等で接合されている。なお、溶接等で接合されていることに限定されない。例えば、ボルト等の締付部材にて締め付けられていても良い。
以上の構成により、右積載部材３１、左積載部材３２、前接続部材３３および後接続部材３４は、一体化され、積載ユニット３０を構成している。
【００２６】
前接続部材３３における内側の大きさは、前左右部材２３の外側の大きさよりも大きく、前左右部材２３は、前接続部材３３の内部に嵌め込まれている。そして、例えば、前左右部材２３の後部に形成された雌ねじ（不図示）に、前接続部材３３に形成された貫通孔を通されたボルト（不図示）の雄ねじが締め付けられることで、前左右部材２３と前接続部材３３とは固定されている。
【００２７】
また、後接続部材３４における内側の大きさは、後左右部材２４の外側の大きさよりも大きく、後左右部材２４は、後接続部材３４の内部に嵌め込まれている。そして、例えば、後左右部材２４の前部に形成された雌ねじ２４３に、後接続部材３４に形成された貫通孔３４１を通されたボルト等の締付部材３６の雄ねじが締め付けられることで、後左右部材２４と後接続部材３４とは固定されている。
【００２８】
図６は、脚部材１３０が貫通孔３５に嵌め込まれた状態を示す断面図の一例を示す図である。
以上のように構成された架台１０に衣類乾燥機１００が載せられる際、衣類乾燥機１００の脚部材１３０が、積載部２０に形成された貫通孔３５に嵌め込まれる。つまり、上方から見た場合の貫通孔３５の大きさは、脚部材１３０の外形の大きさよりも大きい。そして、右前脚部材１３１が、積載部２０の右積載部材３１に形成された右前孔３１５に嵌め込まれ、右後脚部材１３３が、積載部２０の右積載部材３１に形成された右後孔３１６に嵌め込まれる。また、左前脚部材１３２が、積載部２０の左積載部材３２に形成された左前孔３２５に嵌め込まれ、左後脚部材１３４が、積載部２０の左積載部材３２に形成された左後孔３２６に嵌め込まれる。このように、貫通孔３５は、積載面３１０または積載面３２０から凹み、脚部材１３０が嵌まり込む凹部の一例として機能する。なお、図６は、右前脚部材１３１が右前孔３１５に嵌め込まれた状態と左前脚部材１３２が左前孔３２５に嵌め込まれた状態を示す断面図の一例を示す図である。
【００２９】
そして、衣類乾燥機１００は、筐体１１０の底板１１４の底面１１５が、架台１０の積載部２０の積載面３１０および積載面３２０に接触するように、積載部２０の上に載せられる。
それゆえ、以上のように構成された架台１０によれば、例えば、積載部２０に貫通孔３５が形成されておらず、脚部材１３０が積載面３１０または積載面３２０の上に載せられる構成と比べて、脚部材１３０の高さの分、床面から衣類乾燥機１００の上面１１３ａまでの高さを低くすることができる。
【００３０】
なお、図６に示した例においては、貫通孔３５の下側に、貫通孔３５の大きさよりも大きなワッシャ１４０を設けるとともに、ワッシャ１４０の中央部に形成された貫通孔を通されたボルト等の締付部材１４１の雄ねじが脚部材１３０の下端部に形成された雌ねじに締め付けられている。かかる構成により、衣類乾燥機１００は、架台１０に固定されている。その結果、衣類乾燥機１００が駆動することに起因して衣類乾燥機１００が振動したとしても衣類乾燥機１００が積載部２０から脱落することが抑制される。なお、基部３１１および基部３２１の上下方向の大きさは、脚部材１３０の高さ（上下方向の大きさ）と同一、または、脚部材１３０の高さよりも若干大きいことを例示することができる。これにより、ワッシャ１４０が、貫通孔３５の周囲の基部３１１および基部３２１と、脚部材１３０との両方に接触し易くなり、衣類乾燥機１００と架台１０とが相対的に移動することが抑制される。ただし、基部３１１および基部３２１の上下方向の大きさは、脚部材１３０の高さよりも小さくても良い。この構成である場合には、ワッシャ１４０が脚部材１３０に取り付けられることで、衣類乾燥機１００が駆動することに起因して衣類乾燥機１００が振動した際に、ワッシャ１４０が衣類乾燥機１００の上方向への移動を抑制する。なお、衣類乾燥機１００は、ワッシャ１４０や締付部材１４１を用いて架台１０に固定されていなくても良い。
【００３１】
また、貫通孔３５の形状は、円柱状に限定されない。貫通孔３５は、脚部材１３０の外形に沿う形状であることを例示することができる。例えば、脚部材１３０が円柱状である場合には、貫通孔３５は円柱状、脚部材１３０が楕円柱状である場合には、貫通孔３５は楕円柱状であると良い。また、脚部材１３０が柱状であり、かつ、下方から見た場合の形状が、図４に示すようなひょうたんの形状である場合には、貫通孔３５は柱状であり、かつ、上方から見た場合の形状がひょうたんの形状であると良い。
【００３２】
また、４つの貫通孔３５の大きさは全て同一であっても良いし、異なっていても良い。４つの脚部材１３０の形状および大きさが全て同一で４つの貫通孔３５の大きさが全て同一ではない場合には、例えば、排気口１２０の真下に設けられている左後脚部材１３４が嵌り込む左後孔３２６が、他の貫通孔３５である、右前孔３１５、右後孔３１６および左前孔３２５よりも小さいと良い。例えば、上方から見て、各貫通孔３５の中心が脚部材１３０の中心と同一である場合に、左後孔３２６と左後脚部材１３４との間の隙間が例えば１ｃｍであるときに、他の貫通孔３５と他の脚部材１３０との間の隙間が例えば２ｃｍであると良い。これにより、左後脚部材１３４の位置を中心として、衣類乾燥機１００を、床面と水平方向に回転させることが可能となる。その結果、例えば、衣類乾燥機１００の排気口１２０に排湿筒を接続した後に、排気口１２０や左後脚部材１３４の位置を変えることなく、衣類乾燥機１００の向きを変えることが可能となる。
【００３３】
また、右積載部材３１、左積載部材３２、前接続部材３３および後接続部材３４は、一体化されて積載ユニット３０を構成しているが、特にかかる態様に限定されない。例えば、前接続部材３３を設けずに、右積載部材３１および左積載部材３２は、前左右部材２３に、例えば、ボルト等の締付部材にて連結されているか、または、溶接等で接合されていても良い。また、後接続部材３４を設けずに、前接続部材３３および後接続部材３４は、後左右部材２４に、例えば、ボルト等の締付部材にて連結されているか、または、溶接等で接合されていても良い。
【００３４】
＜第２の実施形態＞
図７は、脚部材１３０が第２の実施形態に係る貫通孔６３５に嵌め込まれた状態を示す断面図の一例を示す図である。
第２の実施形態に係る架台１６は、第１の実施形態に係る架台１０に対して、右積載部材３１に相当する右積載部材６３１、および、左積載部材３２に相当する左積載部材６３２が、それぞれ、右積載部材３１、左積載部材３２と異なる。以下、第１の実施形態と異なる点について説明する。第１の実施形態と第２の実施形態とで、同じものについては同じ符号を用い、その詳細な説明は省略する。
【００３５】
右積載部材６３１および左積載部材６３２は、右積載部材３１の基部３１１および左積載部材３２の基部３２１が四角筒状であるのと異なり、直方体状である。つまり、右積載部材６３１は、上面が積載面６１０となる直方体状の基部６１１と、基部６１１の厚さよりも薄い板状の前突出部３１３および後突出部３１４を有している。また、左積載部材６３２は、上面が積載面６２０となる直方体状の基部６２１と、基部６２１の厚さよりも薄い板状の前突出部３２３および後突出部３２４を有している。そして、基部６１１の前部には、上下方向に貫通する孔である右前孔６１５が形成され、基部６１１の後部には、上下方向に貫通する孔である右後孔（不図示）が形成されている。また、基部６２１の前部には、上下方向に貫通する孔である左前孔６２５が形成され、基部６２１の後部には、上下方向に貫通する孔である左後孔（不図示）が形成されている。
【００３６】
なお、以下の説明において、右前孔６１５、右後孔、左前孔６２５および左後孔を、区別する必要がない場合には、これらをまとめて「貫通孔６３５」と称する場合がある。貫通孔６３５は、円柱状であることを例示することができる。あるいは、貫通孔６３５は、第１の実施形態に係る貫通孔３５と同様に脚部材１３０の外形に沿う形状であることを例示することができる。また、４つの貫通孔６３５の大きさは、第１の実施形態に係る貫通孔３５と同様に、全て同一であっても良いし、異なっていても良い。
【００３７】
右積載部材６３１および左積載部材６３２は、鉄やアルミニウム等の金属、樹脂、木材であることを例示することができる。なお、右積載部材６３１および左積載部材６３２が樹脂や木材である場合には、右積載部材６３１、左積載部材６３２は、前接続部材３３、後接続部材３４にボルト等の締付部材にて連結されていることを例示することができる。
【００３８】
以上のように構成された架台１６においても、架台１６に衣類乾燥機１００が載せられる際、衣類乾燥機１００の脚部材１３０が、貫通孔６３５に嵌め込まれる。つまり、貫通孔６３５は、積載面６１０または積載面６２０から凹み、脚部材１３０が嵌まり込む凹部の一例として機能する。その結果、架台１６によれば、脚部材１３０の高さの分、床面から衣類乾燥機１００の上面１１３ａまでの高さを低くすることができる。
また、図７に示すように、貫通孔６３５の下側に、貫通孔６３５の大きさよりも大きなワッシャ１４０を設け、締付部材１４１の雄ねじを脚部材１３０の下端部に形成された雌ねじに締め付けることで、衣類乾燥機１００を、架台１６に固定しても良い。その結果、衣類乾燥機１００が駆動することに起因して衣類乾燥機１００が振動したとしても衣類乾燥機１００が架台１６から脱落することが抑制される。なお、基部６１１および基部６２１の上下方向の大きさは、脚部材１３０の高さ（上下方向の大きさ）と同一、または、脚部材１３０の高さよりも若干大きいことを例示することができる。これにより、ワッシャ１４０が、貫通孔６３５の周囲の基部６１１および基部６２１と、脚部材１３０との両方に接触し易くなり、衣類乾燥機１００と架台１６とが相対的に移動することが抑制される。ただし、衣類乾燥機１００は、ワッシャ１４０や締付部材１４１を用いて架台１６に固定されていなくても良い。
【００３９】
＜第３の実施形態＞
図８は、脚部材１３０が第３の実施形態に係る収容部７３５に嵌め込まれた状態を示す断面図の一例を示す図である。
第３の実施形態に係る架台１７は、第１の実施形態に係る架台１０に対して、右積載部材３１に相当する右積載部材７３１、および、左積載部材３２に相当する左積載部材７３２が、それぞれ、右積載部材３１、左積載部材３２と異なる。以下、第１の実施形態と異なる点について説明する。第１の実施形態と第２の実施形態とで、同じものについては同じ符号を用い、その詳細な説明は省略する。
【００４０】
右積載部材７３１および左積載部材７３２は、右積載部材３１の基部３１１および左積載部材３２の基部３２１が四角筒状であるのと異なり、板状である。
つまり、右積載部材７３１は、板金を用いて成形されており、上面が積載面７１０となる板状の基部７１１を有している。また、右積載部材７３１は、右端部に、基部７１１から下方に突出した右側部７１２を有し、左端部に、基部７１１から下方に突出した左側部７１３を有している。また、右積載部材７３１は、基部７１１から、前方に突出した前突出部３１３と、後方に突出した後突出部３１４とを有している。右側部７１２および左側部７１３は、折り曲げ加工が施されることで成形されていることを例示することができる。
また、右積載部材７３１は、前部に、右前脚部材１３１を収容する右前収容部７１５と、後部に、右後脚部材１３３を収容する右後収容部（不図示）とを有している。
【００４１】
また、左積載部材７３２は、板金を用いて成形されており、上面が積載面７２０となる板状の基部７２１を有している。また、左積載部材７３２は、右端部に、基部７２１から下方に突出した右側部７２２を有し、左端部に、基部７２１から下方に突出した左側部７２３を有している。また、左積載部材７３２は、基部７２１から、前方に突出した前突出部３２３と、後方に突出した後突出部３２４とを有している。右側部７２２および左側部７２３は、折り曲げ加工が施されることで成形されていることを例示することができる。
また、左積載部材７３２は、前部に、左前脚部材１３２を収容する左前収容部７２５と、後部に、左後脚部材１３４を収容する左後収容部（不図示）とを有している。
【００４２】
なお、以下の説明において、右前収容部７１５、右後収容部、左前収容部７２５および左後収容部を、区別する必要がない場合には、これらをまとめて「収容部７３５」と称する場合がある。収容部７３５は、基部７１１または基部７２１から下方に円筒状に突出するように折り曲げ加工が施されることで成形されていることを例示することができる。つまり、収容部７３５の内部は円柱状であり、収容部７３５の内部に、脚部材１３０を収容する。ただし、収容部７３５の内部形状は、第１の実施形態に係る貫通孔３５と同様に脚部材１３０の外形に沿う形状であることを例示することができる。また、４つの収容部７３５の大きさは、第１の実施形態に係る貫通孔３５と同様に、全て同一であっても良いし、異なっていても良い。
【００４３】
以上のように構成された架台１７においても、架台１７に衣類乾燥機１００が載せられる際、衣類乾燥機１００の脚部材１３０が、収容部７３５に嵌め込まれる。つまり、収容部７３５は、積載面７１０または積載面７２０から凹み、脚部材１３０が嵌まり込む凹部の一例として機能する。その結果、架台１７によれば、脚部材１３０の高さの分、床面から衣類乾燥機１００の上面１１３ａまでの高さを低くすることができる。
また、図８に示すように、収容部７３５の下側に、収容部７３５の下端面の大きさよりも大きなワッシャ１４０を設け、締付部材１４１の雄ねじを脚部材１３０の下端部に形成された雌ねじに締め付けることで、衣類乾燥機１００を、架台１７に固定しても良い。その結果、衣類乾燥機１００が駆動することに起因して衣類乾燥機１００が振動したとしても衣類乾燥機１００が架台１７から脱落することが抑制される。なお、右積載部材７３１、左積載部材７３２における積載面７１０、積載面７２０から収容部７３５の下端面までの上下方向の大きさは、脚部材１３０の高さ（上下方向の大きさ）と同一、または、脚部材１３０の高さよりも若干大きいことを例示することができる。これにより、ワッシャ１４０が、収容部７３５の下端面と、脚部材１３０との両方に接触し易くなり、衣類乾燥機１００と架台１７とが相対的に移動することが抑制される。ただし、衣類乾燥機１００は、ワッシャ１４０や締付部材１４１を用いて架台１７に固定されていなくても良い。
【００４４】
図９は、収容部７３５の変形例の一例を示す図である。
収容部７３５は、図８に例示した円筒状ではなく、脚部材１３０の下端面を支持する底部７３６を有していても良い。かかる場合には、右積載部材７３１、左積載部材７３２における積載面７１０、積載面７２０から収容部７３５の底部７３６の下面までの上下方向の大きさは、脚部材１３０の高さ（上下方向の大きさ）と同一、または、脚部材１３０の高さよりも若干大きいことを例示することができる。ワッシャ１４０の外径は、底部７３６に形成された締付部材１４１を通す貫通孔７３７よりも大きければ良い。
【００４５】
＜第４の実施形態＞
図１０は、第４の実施形態に係る右積載部材８３１および左積載部材８３２の概略構成の一例を示す図である。
第４の実施形態に係る架台１８は、第２の実施形態に係る架台１６に対して、右積載部材６３１に相当する右積載部材８３１、および、左積載部材６３２に相当する左積載部材８３２がそれぞれ、右積載部材６３１、左積載部材６３２と異なる。以下、第２の実施形態と異なる点について説明する。第２の実施形態と第４の実施形態とで、同じものについては同じ符号を用い、その詳細な説明は省略する。
【００４６】
右積載部材８３１は、基部６１１に相当する、上面が積載面８１０となる直方体状の基部８１１と、基部８１１の厚さよりも薄い板状の前突出部３１３および後突出部３１４を有している。基部８１１には、右前孔６１５および右後孔６１６が形成されている。さらに、基部８１１には、右前孔６１５の前方に、積載面８１０から凹んだ右前溝８１５が形成され、右後孔６１６の前方に、積載面８１０から凹んだ右後溝８１６が形成されている。
【００４７】
左積載部材８３２は、基部６２１に相当する、上面が積載面８２０となる直方体状の基部８２１と、基部８２１の厚さよりも薄い板状の前突出部３２３および後突出部３２４を有している。基部８２１には、左前孔６２５および左後孔６２６が形成されている。さらに、基部８２１には、左前孔６２５の前方に、積載面８２０から凹んだ左前溝８２５が形成され、左後孔６２６の前方に、積載面８１０から凹んだ左後溝８２６が形成されている。
【００４８】
なお、以下の説明において、右前溝８１５、右後溝８１６、左前溝８２５および左後溝８２６を、区別する必要がない場合には、これらをまとめて「溝８３５」と称する場合がある。溝８３５は、左右方向の大きさが脚部材１３０における左右方向の大きさよりも大きい。溝８３５は、衣類乾燥機１００を積載面８１０および積載面８２０に載せるために脚部材１３０を貫通孔６３５に嵌め込む際に、脚部材１３０を貫通孔６３５へ案内する。これにより、衣類乾燥機１００を架台１８に載せる者は、衣類乾燥機１００を架台１８に載せる際に、先ず、右前脚部材１３１、左前脚部材１３２、右後脚部材１３３、左後脚部材１３４を、それぞれ、右前溝８１５、左前溝８２５、右後溝８１６、左後溝８２６に載せ、その後、衣類乾燥機１００を後方に押すことで、右前脚部材１３１、左前脚部材１３２、右後脚部材１３３、左後脚部材１３４を、それぞれ、右前孔６１５、左前孔６２５、右後孔６１６、左後孔６２６に嵌め込むことが可能となる。その結果、例えば、洗濯機２００の前方から衣類乾燥機１００を架台１８に載せる際に、衣類乾燥機１００を、脚部材１３０が貫通孔６３５の上方に正確に位置するまで運ぶ必要がないので、衣類乾燥機１００を載せる作業が容易になる。また、上方から見た場合の溝８３５の大きさが貫通孔６３５の大きさよりも大きい場合には、衣類乾燥機１００を架台１８に最初に載せる領域が大きくなるので、衣類乾燥機１００を載せる作業が容易になる。
【００４９】
なお、溝８３５における前後方向の大きさは、全ての脚部材１３０をそれぞれ溝８３５に載せたとしても衣類乾燥機１００が傾かない大きさであれば良い。例えば、溝８３５における前後方向の大きさは、脚部材１３０における前後方向の大きさの半分よりも大きいと良い。また、溝８３５における上下方向の大きさは、例えば、脚部材１３０における上下方向の大きさの１／４以上であることを例示することができる。
また、溝８３５は、例えば、切削加工にて成形することができる。右積載部材６３１および左積載部材６３２が樹脂である場合には、型にて成形しても良い。
【００５０】
なお、溝８３５は、貫通孔６３５の前方に形成されていることに限定されない。溝８３５は、貫通孔６３５に接続するように形成されていれば良く、例えば貫通孔６３５の右側や左側に形成されていても良い。
また、溝８３５は、第１の実施形態に係る貫通孔３５の前方や、第３の実施形態に係る収容部７３５の前方に設けても良い。右積載部材３１、左積載部材３２、右積載部材７３１および左積載部材７３２を作製する際に、プレス加工等を施すことで溝８３５を成形することを例示することができる。
【符号の説明】
【００５１】
１０，１６，１７，１８…架台、２０…積載部、３５，６３５…貫通孔、４０…支持部、１００…衣類乾燥機、１１５…底面、１３０…脚部材、１５０…排湿筒、３１０，３２０，６１０，６２０，７１０，７２０，８１０，８２０…積載面、７３５…収容部、８３５…溝
【要約】
【課題】床面から衣類乾燥機の上面までの高さを低くできる架台を提供する。
【解決手段】底面から下方に突出した脚部材を有する衣類乾燥機を載せる架台１０であって、衣類乾燥機を載せる積載部２０に、底面が載る積載面と、積載面から凹み、脚部材が嵌まり込む凹部と、を有する。
【選択図】図１【図１】
0006982206.tif 000002
【図２】
0006982206.tif 000003
【図３】
0006982206.tif 000004
【図４】
0006982206.tif 000005
【図５】
0006982206.tif 000006
【図６】
0006982206.tif 000007
【図７】
0006982206.tif 000008
【図８】
0006982206.tif 000009
【図９】
0006982206.tif 000010
【図１０】
0006982206.tif 000011